(57)【要約】【課題】ペルチェユニットを容易にメンテナンスする。【解決手段】検体分析装置（１）は、試薬テーブル（１３０）を冷却するペルチェ素子（４１）と、ペルチェ素子（４１）が吸収した熱を放熱するヒートシンク（４２）と、ヒートシンク（４２）を冷却する放熱ファン（４３）と、放熱ファン（４３）をヒートシンク（４２）に仮留めする第一固定部（４０１）と、放熱ファン（４３）をヒートシンク（４２）に本留めする第二固定部（４０２）とを備える。【選択図】図７
2020051929.tif 000002
【特許請求の範囲】
【請求項１】
検体の分析に用いられる複数の試薬容器が配置される試薬テーブルを筐体内に備えた検体分析装置であって、
前記試薬テーブルを冷却する冷却部、
前記冷却部から熱を放熱する放熱部、および
前記放熱部を冷却する放熱ファンを含む冷却ユニットと、
前記冷却ユニットの少なくとも一部である着脱部を前記検体分析装置に仮留めする第一固定部と、
前記着脱部を前記検体分析装置に本留めする第二固定部と、
を備えていることを特徴とする検体分析装置。
【請求項２】
前記筐体は、
外部へ開口した通気口と、
前記通気口とつながり、前記筐体内へ前記冷却用の空気を供給し、前記放熱部から放熱された熱を前記筐体外へ排出するダクトと、を備え、
前記通気口および前記ダクトは、前記着脱部の取付けおよび取外しの作業が可能な形状を有することを特徴とする請求項１に記載の検体分析装置。
【請求項３】
前記試薬テーブルは、前記筐体内の試薬庫の内側に設けられていることを特徴とする請求項２に記載の検体分析装置。
【請求項４】
前記冷却ユニットは、前記筐体内の試薬庫と、前記ダクトとの間に配置されていることを特徴とする請求項２または３に記載の検体分析装置。
【請求項５】
前記筐体内の試薬庫の底部に、前記冷却部、前記放熱部、および前記放熱ファンが順に組み付けられた構造を有する冷却ユニットを備えることを特徴とする請求項４のいずれか１項に記載の検体分析装置。
【請求項６】
前記着脱部を前記ダクト内で保持可能なように、前記着脱部の少なくとも一部が前記ダクト内に突出して配置されていることを特徴とする請求項２〜５のいずれか１項に記載の検体分析装置。
【請求項７】
前記第一固定部は、磁力によって前記着脱部を前記検体分析装置に仮留めすることを特徴とする請求項１〜６のいずれか１項に記載の検体分析装置。
【請求項８】
前記第二固定部は、固定部材を介して前記着脱部を前記検体分析装置に固定することを特徴とする請求項１〜７のいずれか１項に記載の検体分析装置。
【請求項９】
前記固定部材は、ネジ穴部および前記ネジ穴部に螺合するネジ部である請求項８に記載の検体分析装置。
【請求項１０】
前記着脱部は、放熱ファンである請求項１〜９のいずれか１項に記載の検体分析装置。
【請求項１１】
前記放熱部は、ヒートシンクである請求項１〜１０のいずれか１項に記載の検体分析装置。
【請求項１２】
前記筐体内の試薬庫の上面の少なくとも一部が開閉可能となっていることを特徴とする請求項１〜１１のいずれか１項に記載の検体分析装置。
【請求項１３】
前記試薬テーブルに配置された前記試薬容器から試薬を吸引し分注する分注機構が備えられ、
前記分注機構は、前記筐体内の試薬庫の上面に設けられた吸引孔から、前記試薬テーブルの前記試薬容器内の試薬を吸引することを特徴とする請求項１〜１２のいずれか１項に記載の検体分析装置。
【請求項１４】
前記冷却部は、ペルチェ素子であることを特徴とする請求項１〜１３のいずれか１項に記載の検体分析装置。
【請求項１５】
検体の分析に用いられる複数の試薬容器が配置される試薬テーブルを筐体内の試薬庫の内側に備えた検体分析装置のメンテナンス方法であって、
前記検体分析装置は、
前記試薬庫の底部に、冷却部、放熱部、および放熱ファンが順に組み付けられた冷却ユニットを有する構造を有し、
外部へ開口した通気口とつながり、前記筐体内へ冷却用の空気を供給し、前記放熱部から放熱された熱を前記筐体外へ排出するダクトを介して、前記冷却ユニットのメンテナンスを行うものであり、
前記メンテナンスにおいて前記冷却ユニットの少なくとも一部である着脱部を前記検体分析装置から取り外す場合、
前記着脱部を前記検体分析装置に本留めする第二固定部による本留めを外し、
前記着脱部を前記検体分析装置に仮留めする第一固定部による仮留めを外すことにより行い、
前記メンテナンスにおいて前記着脱部を前記検体分析装置に取り付ける場合、
前記第一固定部による仮留めを行い、
前記第二固定部による本留めを行うことにより行うことを特徴とする検体分析装置のメンテナンス方法。
【請求項１６】
前記冷却ユニットは、前記試薬庫と前記ダクトとの間に配置されていることを特徴とする請求項１５に記載の検体分析装置のメンテナンス方法。
【請求項１７】
前記第一固定部は、磁力によって前記着脱部を前記検体分析装置に仮留めすることを特徴とする請求項１５または１６に記載の検体分析装置のメンテナンス方法。
【請求項１８】
前記第二固定部は、固定部材を介して前記着脱部を前記検体分析装置に固定することを特徴とする請求項１５〜１７のいずれか１項に記載の検体分析装置のメンテナンス方法。
【請求項１９】
前記固定部材は、ネジ穴部および前記ネジ穴部に螺合するネジ部である請求項１８または１８に記載の検体分析装置のメンテナンス方法。
【発明の詳細な説明】
【技術分野】
【０００１】
本発明は、血液凝固分析装置、免疫分析装置等であって、試薬容器に収容された試薬を用いて検体を分析する検体分析装置に関する。
【背景技術】
【０００２】
従来、検体と試薬とを混和して調製された測定試料の測定結果を分析する検体分析装置が知られている。この検体分析装置において、試薬は、試薬容器に収納された状態で試薬庫内に収容され、劣化を防止するために所定の温度に冷却されている。
【０００３】
特許文献１には、試薬の冷却機能を有する試薬庫を備えた分析装置が開示されている。具体的には、特許文献１には、試薬庫と、試薬庫内に収納され、試薬を収容した試薬容器を配置するための試薬テーブルと、試薬テーブルの下方に配置されたペルチェユニットと、ペルチェユニットと試薬テーブルとの間に配置されるとともに、ペルチェユニットに対向するように配置され、試薬庫内の空気を循環させる循環部とを備えた分析装置が開示されている。
【０００４】
また、特許文献２には、送風用ファンの取外しが可能なファン付ヒートシンクが開示されている。具体的には、特許文献２には、送風用のファンと、並列配置された複数の薄板材からなる放熱フィン部と、一方の面に発熱部品が熱的に接続され、他方の面に前記放熱フィン部を備えたベースプレートと、ベースプレートに取り付けられて、ファンを支持する枠体と、枠体に取り付けられて、取り外し可能に、ファンを弾力的に保持する弾性部材とを備えたファン付ヒートシンクが開示されている。
【先行技術文献】
【特許文献】
【０００５】
【特許文献１】特開２０１１−１９１１１４号公報
【特許文献２】特開２００９−３０２４２１号公報
【発明の概要】
【発明が解決しようとする課題】
【０００６】
上述した特許文献１に記載の検体分析装置では、試薬を冷却するためのペルチェユニットは、ペルチェ素子が吸収した熱を放熱するヒートシンクと、ヒートシンクに冷却用の空気を送るための放熱ファンとを備えている。そしてペルチェユニットは、放熱ファンの駆動によって吸気ダクトからヒートシンクへ外気を取り入れ、ヒートシンクで熱交換された後に排気ダクトへ温風が排出されるように、装置内部において試薬庫の近傍でダクトと接続されるように配置されている。
【０００７】
このように、ヒートシンクには常に空気が送られているため、長期間使用すると塵や埃が堆積してしまう。これにより、放熱効率が低下し、冷却性能が低下してしまう。そのため、ヒートシンクは、定期的にヒートシンクをメンテナンスして塵や埃を取り除くことが必要になる。また、放熱ファンが故障した場合も冷却性能の低下に繋がるため、直ちに修理・交換が必要になる。
【０００８】
ペルチェユニット、ヒートシンク、および放熱ファンを含む冷却ユニットのメンテナンスや修理・交換を行うためには、作業者が放熱ファンに到達する必要がある。従来は、作業者は、検体分析装置の筐体の前面や上面などに設けられている開閉可能なカバー部分を開け、まず試薬庫を分解して取り出し、その奥にあるペルチェユニットを取り出してメンテナンスや修理・交換を行っていた。
【０００９】
ここで、図１５を参照して、従来におけるメンテナンス方法を説明する。図１５は従来技術におけるメンテナンスの流れを示すフローチャートである。
【００１０】
図１５に示すように、従来技術におけるメンテナンスでは、まず、検体分析装置のカバー（化粧面（正面）、背面）をあけ（ステップＳ２０１）、試薬庫のカバーを外し（ステップＳ２０２）、試薬テーブルをとり（ステップＳ２０３）、試薬テーブルを回転させるためのベルトを取外し（ステップＳ２０４）、配線および配管を外し（ステップＳ２０５）、ベースプレートごとベースを取り外す（ステップＳ２０６）。この状態まできて、作業者がペルチェユニットにアクセスでき、ペルチェユニットのメンテナンスを行う（ステップＳ２０７）。
【００１１】
続いて、これまでの逆の手順で、ベースを取り付け（ステップＳ２０８）、配線および配管を接続し（ステップＳ２０９）、ベルトを取り付けるとともにベルトのテンションをはり（ステップＳ２１０）、試薬テーブルを取り付け（ステップＳ２１１）、位置調整を行って（ステップＳ２１２）、試薬庫のカバーを取り付け（ステップＳ２１３）、検体分析装置のカバーを閉める（ステップＳ２１４）と、メンテナンスが終了する。
【００１２】
従来のメンテナンス方法は、図１５に示すように、手順が多く、作業内容も手間がかかるものであり、専門の作業者によって行われた場合であっても４時間〜半日かかっていた。検体分析装置の機構は複雑であるため、例えば、ステップＳ２１２における位置調整の作業では、緻密な作業を、時間をかけて行う必要があり、負担が大きかった。また、試薬庫の分解、組立、および調整といった非常に煩雑で手間のかかる作業が伴うため、多くの場合、検体分析装置が設置されている施設に複数の作業者を派遣する必要がある。さらに、この作業の間は、検体分析装置を用いた分析ができないため、分析を半日以上できない。このように、検体分析装置の放熱ファンのメンテナンスや修理・交換を行う場合、作業者の人件費を含む費用面の問題、および分析を中断しなければならないという問題などがあった。
【００１３】
ペルチェユニットは、検体分析装置内でダクトと接続されるように配置されているため、ダクトへ手を入れるなどしてペルチェユニットにアクセスすることは可能である。しかし、ダクト内は、十分な作業スペースが確保されているとは言えず、工具等を用いた作業は困難である。従来のペルチェユニットはネジ等の固定部材で放熱ファンとヒートシンクとが堅く固定されていることが多く、工具等が無ければ、放熱ファンの着脱を行うことは非常に困難である。また、狭く且つ手元が確認できない状況で仮に上記のような作業を行う場合、誤って放熱ファンを落としてしまうおそれもある。 
【００１４】
また、ペルチェユニットとして、特許文献２に記載されているようなファン付ヒートシンクを用いたとしても、当該ファン付ヒートシンクは弾性部材のみでファンがヒートシンクに固定されているのみなので、着脱時に常に手でファンを支えておく必要があり、メンテナンス、修理・交換が容易になるとは言えない。
【００１５】
本発明は、上記の問題に鑑みてなされたものであり、その目的は、冷却ユニットを容易にメンテナンスできる検体分析装置を実現することにある。
【課題を解決するための手段】
【００１６】
上記課題を解決するために、本発明の一態様に係る検体分析装置（１）は、検体の分析に用いられる複数の試薬容器が配置される試薬テーブル（１３０）を筐体内に備えた検体分析装置（１）であって、試薬テーブル（１３０）を冷却する冷却部（ペルチェ素子４１）、冷却部（ペルチェ素子４１）から熱を放熱する放熱部（ヒートシンク４２）、および放熱部（ヒートシンク４２）を冷却する放熱ファン（４３）を含む冷却ユニット（ペルチェユニット４０）と、冷却ユニット（ペルチェユニット４０）の少なくとも一部である着脱部を検体分析装置（１）に仮留めする第一固定部（４０１）と、着脱部を検体分析装置（１）に本留めする第二固定部（４０２）と、を備えている。
【００１７】
上記の構成によれば、冷却ユニット（ペルチェユニット４０）の少なくとも一部である着脱部と検体分析装置（１）とは第一固定部（４０１）と第二固定部（４０２）とで固定される。検体分析装置（１）から、例えば放熱ファン（４３）など、着脱部を取り外す場合、第二固定部（４０２）による固定を先になくせば、着脱部と検体分析装置（１）とは、第一固定部（４０１）のみにより固定されていることになる。第一固定部（４０１）は着脱部と検体分析装置（１）とを仮留めするものなので、作業者は着脱部を検体分析装置（１）から容易に取り外すことができる。これにより、作業者は、安全かつ容易に着脱部を取り外すことができる。
【００１８】
また、検体分析装置（１）に放熱ファン（４３）など冷却ユニット（ペルチェユニット４０）の少なくとも一部である着脱部を取り付ける場合、先に第一固定部（４０１）による固定を行えば、検体分析装置（１）と着脱部とが仮留めされた状態で第二固定部（４０２）による固定を行うことができる。これにより、作業者は安全かつ容易に着脱部を検体分析装置（１）に取り付けることができる。
【００１９】
以上のように、上記の構成によれば、容易に冷却ユニット（ペルチェユニット４０）の少なくとも一部を検体分析装置（１）から取り外すことができるので、短時間で、作業者に大きな負担をかけることなく冷却ユニット（ペルチェユニット４０）のメンテナンス等を行うことができる。
【００２０】
なお、仮留めとは、例えば、人の力によって容易に取外し可能な状態で固定されていることをいい、本留めとは、取り外すことを意図した人が、取外すための所定の動作を行うことが必要な状態で固定されていることをいう。ここで、所定の動作としては、例えば、ネジを回す動作などが挙げられる。
【００２１】
本発明の別の態様に係る検体分析装置（１）では、筐体は、外部へ開口した通気口と、通気口とつながり、筐体内へ冷却用の空気を供給し、放熱部（ヒートシンク４２）から放熱された熱を筐体外へ排出するダクト（排気ダクト７１）と、を備え、通気口および排気ダクト（７１）は、着脱部の取付けおよび取外しの作業が可能な形状を有する。
【００２２】
上記の構成によれば、ダクト（排気ダクト７１）から着脱部にアクセスし、放熱ファン（４３）など冷却ユニット（ペルチェユニット４０）の少なくとも一部である着脱部の取り付けおよび取り外しを行うことができる。これにより、ダクト（排気ダクト７１）を介して冷却ユニット（ペルチェユニット４０）のメンテナンスを行うことができる。
【００２３】
例えば、検体分析装置（１）の上部構造を分解して放熱部（ヒートシンク４２）を含む放熱ユニット（ペルチェユニット４０）のメンテナンスを行う従来の方法では、分解・組立に伴って、各部材の位置調整の作業が必要となる。検体分析装置（１）は複雑な機構を有しているため、位置調整の作業は精度を要し、緻密な作業を、時間をかけて行う必要がある。それゆえ、従来の方法では作業者への負担が大きかった。これに対して、上記の構成を採用すれば、作業者は、ダクト（排気ダクト７１）を介して放熱部（ヒートシンク４２）を含む冷却ユニット（ペルチェユニット４０）のメンテナンスを行うことができる。よって、上部機構の分解および組立の手間がかからず、しかも位置調整が不要であるため、作業者の負担は大きく軽減される。
【００２４】
本発明の別の態様に係る検体分析装置（１）では、試薬テーブル（１３０）は、筐体内の試薬庫（１１）の内側に設けられている。 
【００２５】
上記の構成によれば、試薬庫（１１）を冷却することにより試薬を冷却することができる。
【００２６】
本発明の別の態様に係る検体分析装置（１）では、冷却ユニット（ペルチェユニット４０）は、筐体内の試薬庫（１１）とダクト（排気ダクト７１）との間に配置されている。
【００２７】
上記の構成であっても、ダクト（排気ダクト７１）を介して冷却ユニット（ペルチェユニット４０）のメンテナンスを排出することができる。
【００２８】
本発明の別の態様に係る検体分析装置（１）では、筐体内の試薬庫（１１）の底部に、冷却部（ペルチェ素子４１）、放熱部（ヒートシンク４２）、および放熱ファン（４３）が順に組み付けられた構造を有する冷却ユニット（ペルチェユニット４０）を備える。
【００２９】
上記の構成によれば、試薬庫を適切に冷却することができる。
【００３０】
本発明の別の態様に係る検体分析装置（１）では、着脱部をダクト（排気ダクト７１）内で保持可能なように、着脱部の少なくとも一部がダクト（排気ダクト７１）内に突出して配置されている。
【００３１】
上記の構成によれば、ダクト（排気ダクト７１）を介して、放熱ファン（４３）の取付け、取外しが可能となる。これにより、ダクト（排気ダクト７１）を介して、放熱部（ヒートシンク４２）など冷却ユニット（ペルチェユニット４０）の少なくとも一部のメンテナンスを容易に行うことができる。
【００３２】
本発明の別の態様に係る検体分析装置（１）では、第一固定部（４０１）は、磁力によって着脱部を検体分析装置（１）に仮留めする。
【００３３】
上記の構成によれば、磁力によって仮留めを行うことができる。よって、作業者は容易に、放熱ファン（４３）など冷却ユニット（ペルチェユニット４０）の少なくとも一部を検体分析装置（１）に取り付けることも、仮留めされた冷却ユニット（ペルチェユニット４０）の少なくとも一部を検体分析装置（１）から容易に取り外すこともできる。
【００３４】
本発明の別の態様に係る検体分析装置（１）では、第二固定部（４０２）は、固定部材を介して着脱部を検体分析装置（１）に固定する。 
【００３５】
上記の構成によれば、固定部材により着脱部と検体分析装置（１）とを本留めすることができる。これにより着脱部と検体分析装置（１）とを確実に固定することができる。
【００３６】
本発明の別の態様に係る検体分析装置（１）では、固定部材は、ネジ穴部（４２１）およびネジ穴部（４２１）に螺合するネジ部（４２２）であってもよい。
【００３７】
上記の構成によれば、第二固定部（４０２）によって、着脱部を検体分析装置（１）に確実に固定することができる。
【００３８】
本発明の別の態様に係る検体分析装置（１）では、着脱部は、放熱ファン（４３）である。
【００３９】
本発明の別の態様に係る検体分析装置（１）では、放熱部は、ヒートシンク（４２）である。
【００４０】
本発明の別の態様に係る検体分析装置（１）では、筐体内の試薬庫（１１）の上面の少なくとも一部が開閉可能となっている。
【００４１】
上記の構成によれば、試薬庫（１１）への試薬の出し入れを容易に行うことができる。
【００４２】
本発明の別の態様に係る検体分析装置（１）では、試薬テーブル（１３０）に配置された試薬容器から試薬を吸引し分注する分注機構（３０、１１０）が備えられ、分注機構（３０、１１０）は、筐体内の試薬庫（１１）の上面に設けられた吸引孔から、試薬テーブル（１３０）の試薬容器内の試薬を吸引する。
【００４３】
上記の構成によれば、適切に試薬を吸引し、分注することができる。
【００４４】
本発明の別の態様に係る検体分析装置（１）では、着脱部は放熱ファン（４３）である。
【００４５】
本発明の別の態様に係る検体分析装置（１）では、冷却部はペルチェ素子（４１）である。
【００４６】
上記課題を解決するために、本発明のさらに別の態様に係る検体分析装置（１）のメンテナンス方法は、検体の分析に用いられる複数の試薬容器が配置される試薬テーブル（１３０）を筐体内の試薬庫（１１）の内側に備えた検体分析装置（１）のメンテナンス方法であって、検体分析装置（１）は、試薬庫（１１）の底部に、冷却部（ペルチェ素子４１）、放熱部（ヒートシンク４２）、および放熱ファン（４３）が順に組み付けられた冷却ユニット（ペルチェユニット４０）を有する構造を有し、外部へ開口した通気口とつながり、筐体内へ冷却用の空気を供給し、放熱部（ヒートシンク４２）から放熱された熱を筐体外へ排出するダクト（排気ダクト７１）を介して、冷却ユニット（ペルチェユニット４０）のメンテナンスを行うものであり、メンテナンスにおいて冷却ユニット（ペルチェユニット４０）の少なくとも一部である着脱部を検体分析装置（１）から取り外す場合、着脱部を検体分析装置（１）に本留めする第二固定部（４０２）による本留めを外し、着脱部を検体分析装置（１）に仮留めする第一固定部（４０１）による仮留めを外すことにより行い、メンテナンスにおいて着脱部を検体分析装置（１）に取り付ける場合、第一固定部（４０１）による仮留めを行い、第二固定部（４０２）による本留めを行うことにより行う。
【００４７】
上記の方法によれば、検体分析装置（１）から放熱ファン（４３）など冷却ユニット（ペルチェユニット４０）の少なくとも一部を取り外す場合、本留めを外してから仮留めを外すので、本留めを外すときに着脱部が落下してしまう等の弊害を防止することができる。また、検体分析装置（１）に着脱部を取り付ける場合、仮留めを行ってから本留めを行うので、本留めを容易に行うことができる。
【００４８】
本発明の別の態様に係る検体分析装置（１）のメンテナンス方法において、冷却ユニット（ペルチェユニット４０）は、試薬庫（１１）とダクト（排気ダクト７１）との間に配置されていてもよい。
【００４９】
検体分析装置（１）が上記のような構成であっても、ダクト（排気ダクト７１）を介して冷却ユニット（ペルチェユニット４０）のメンテナンスを行うことができる。
【００５０】
本発明の別の態様に係る検体分析装置（１）のメンテナンス方法において、第一固定部は、磁力によって着脱部を検体分析装置（１）に仮留めする。
【００５１】
上記の構成によれば、着脱部を、磁力によって検体分析装置（１）に仮留めすることができる。よって、冷却ユニット（ペルチェユニット４０）のメンテナンスを行うときに、作業者は容易に、放熱ファン（４３）など冷却ユニット（ペルチェユニット４０）の少なくとも一部を検体分析装置（１）に取り付けることも、仮留めされた冷却ユニット（ペルチェユニット４０）の少なくとも一部を検体分析装置（１）から容易に取り外すこともできる。
【００５２】
本発明の別の態様に係る検体分析装置（１）のメンテナンス方法において、第二固定部は、固定部材を介して着脱部を検体分析装置（１）に固定する。
【００５３】
上記の構成によれば、固定部材により着脱部と検体分析装置（１）とを本留めすることができる。これにより、冷却ユニット（ペルチェユニット４０）のメンテナンスが終了した後、作業者は、放熱ファン（４３）着脱部と検体分析装置（１）とを確実に固定することができる。
【００５４】
本発明の別の態様に係る検体分析装置（１）のメンテナンス方法において、固定部材は、ネジ穴部（４２１）およびネジ穴部（４２１）に螺合するネジ部（４２２）であってもよい。
【００５５】
上記の構成によれば、第二固定部（４０２）によって、着脱部を検体分析装置（１）に確実に固定することができる。
【発明の効果】
【００５６】
本発明によれば、容易に放熱ファン着脱部を検体分析装置から取り外すことができるので、短時間で、作業者に大きな負担をかけることなく冷却ユニットのメンテナンス等を行うことができる。
【図面の簡単な説明】
【００５７】
【図１】本発明の実施形態に係る検体分析装置の外観を示す斜視図である。
【図２】上記検体分析装置におけるモジュールを示す図である。
【図３】上記検体分析装置の背面を示す図である。
【図４】上記検体分析装置の背面カバーを取り外した状態を示す図である。
【図５】上記モジュールの構成を示す模式図である。
【図６】上記検体分析装置におけるペルチェユニットの配置を説明するための側面図である。
【図７】上記ペルチェユニットの構成を説明するための図である。
【図８】上記ペルチェユニットの構成を説明するための図である。
【図９】上記ペルチェユニットの構成を説明するための図である。
【図１０】上記ペルチェユニットの構成を説明するための図である。
【図１１】上記ペルチェユニットの構成を説明するための図である。
【図１２】上記ペルチェユニットの構成を説明するための図である。
【図１３】本実施形態におけるメンテナンスの流れを示すフローチャートである。
【図１４】本実施形態のメンテナンス方法を説明するための図である。
【図１５】従来技術におけるメンテナンスの流れを示すフローチャートである。
【発明を実施するための形態】
【００５８】
（検体分析装置１の外観）
まず、図１〜４を参照して、本発明に係る検体分析装置１の外観について説明する。図１は本実施形態に係る検体分析装置１の全体構成を示す斜視図であり、図２は検体分析装置１における筐体カバー５を開けたときの内部を示す図である。また、図３は、検体分析装置１の背面を示す図であり、図４は、検体分析装置１の背面カバーを開けた状態を示す図である。
【００５９】
図１に示すように、検体分析装置１の筐体には前方の上面に筐体カバー５が設けられ、背面に背面カバー７が設けられている。筐体カバー５は開閉可能であり、筐体カバー５を開くと、図２に示すように、測定機構部、搬送機構部等の検査に関する所定の処理を行う部分構成であるモジュール６１を確認することができる。なお、本実施形態では、検査に関する所定の処理を行う部分構成をモジュールと呼ぶ。
【００６０】
図２に示すように、モジュール６１の中央付近に試薬庫１１が備えられている。筐体カバー５が開閉可能であるため、試薬庫１１の上面の少なくとも一部が開閉可能となっている。また、図４に示すように、背面カバー７には通気口が設けられ、背面カバー７を外すと通気口に対応する位置に排気ダクト７１（ダクト）が現れる。
【００６１】
次に、図５を参照してモジュール６１の詳細について説明する。図５は、モジュール６１の構成を模式的に示した図である。
【００６２】
図５に示すように、検体供給モジュール６３は、ラックセット部６３ａと、ラック搬送部６３ｂと、ラック回収部６３ｃと、を備える。ラックセット部６３ａとラック回収部６３ｃは、それぞれ、ラック搬送部６３ｂの右端および左端に繋がっている。ラック搬送部６３ｂの後方には、バーコードリーダ１０２が配置されている。オペレータは、検体容器１０をセットした検体ラック１０１を、ラックセット部６３ａに設置する。
【００６３】
検体供給モジュール６３は、ラックセット部６３ａに設置された検体ラック１０１をラック搬送部６３ｂの右端に送り、さらに、バーコードリーダ１０２の前方へと送る。バーコードリーダ１０２は、検体容器１０のバーコードラベル１４からバーコードを読み取り、検体ＩＤを取得する。取得された検体ＩＤは、検体に対する測定オーダの取得のために、分析装置６４に送信される。
【００６４】
続いて、検体供給モジュール６３は、検体容器１０を保持した検体ラック１０１を搬送して、検体容器１０を順次、検体吸引位置１０３ａまたは検体吸引位置１０３ｂに位置付ける。検体吸引位置１０３ａは、分注機構３０が検体を吸引するための位置であり、検体吸引位置１０３ｂは、後述する分注機構１１０が検体を吸引するための位置である。検体供給モジュール６３は、検体ラック１０１に保持された全ての検体容器１０に対する検体の吸引が終了すると、検体ラック１０１をラック回収部６３ｃへと搬送する。
【００６５】
モジュール６１は、分注機構３０、１１０と、洗浄槽３３、１０４と、反応容器テーブル１２０と、試薬保冷部１３２と、加温部１４０と、反応容器収納部１５１と、反応容器供給部１５２と、移送部１０５、１０６と、試薬分注部１６１、１６２と、処理部５１と、廃棄口１０７と、を備える。
【００６６】
＜分注機構３０＞
ここで、分注機構３０の構成を説明する。分注機構３０は、検体吸引位置１０３ａに位置付けられた検体容器１０から検体を吸引する。このとき、ノズル３１が栓体を貫通するようノズル３１が下方向に駆動され、ノズル３１の流路３１ｂに負圧が付与されることにより、検体が流路３１ｂ内に吸引される。その後、ノズル３１が上方向に駆動され、ノズル３１の先端３１ａが栓体から抜き取られる。分注機構３０は、吸引した検体を、反応容器テーブル１２０に保持された新しい反応容器２２に吐出する。
【００６７】
検体吸引位置１０３ａに位置付けられた検体には、モジュール６１による血液凝固検査に関する測定を行う測定オーダが設定されている場合がある。
【００６８】
血液凝固検査に関する測定オーダのみが設定されている場合、分注機構３０は、検体容器１０から１回だけ検体を吸引し、吸引した検体を血液凝固検査に関する測定を行うための「第１検体」として、反応容器テーブル１２０の反応容器２２に吐出する。
【００６９】
血液凝固検査と免疫検査との両方の測定オーダが設定されている場合、分注機構３０は、検体容器１０から２回に分けて検体を吸引し、それぞれ反応容器テーブル１２０の異なる反応容器２２に吐出する。このとき、分注機構３０は、最初に吸引した検体を、血液凝固検査に関する測定を行うための「第１検体」として反応容器２２に吐出し、後で吸引した検体を、免疫検査に関する測定を行うための「第２検体」として反応容器２２に吐出する。
【００７０】
なお、分注機構１１０は、栓体により検体容器１０の上部が密封されていない検体容器１０から、血液凝固検査に関する測定オーダのみが設定されている検体を吸引する。分注機構１１０は、吸引した検体を、血液凝固検査に関する測定を行うための「第１検体」として反応容器２２に吐出する。
【００７１】
反応容器テーブル１２０は、平面視においてリング形状を有し、試薬保冷部１３２の外側に配置されている。反応容器テーブル１２０は、周方向に回転可能に構成されている。反応容器テーブル１２０は、反応容器２２を保持するための複数の保持孔１２１を有する。
【００７２】
反応容器収納部１５１は、新しい反応容器２２を収納する。反応容器供給部１５２は、反応容器収納部１５１から反応容器２２を１つずつ取り出し、取り出した反応容器２２を、移送部１０５による把持位置に供給する。移送部１０５は、反応容器供給部１５２によって把持位置に供給された反応容器２２を把持して、反応容器テーブル１２０の保持孔１２１にセットする。
【００７３】
分注機構３０は、検体吸引位置１０３ａに位置付けられた１つの検体容器１０に対する分注を終えると、ノズル３１を洗浄槽３３に位置付ける。洗浄槽３３に位置付けられたノズル３１は、洗浄槽３３内において洗浄される。このように、ノズル３１は、検体ごとに洗浄槽３３内で洗浄される。同様に、分注機構１１０は、検体吸引位置１０３ｂに位置付けられた１つの検体容器１０に対する分注を終えると、ノズル１１１を洗浄槽１０４に位置付ける。洗浄槽１０４に位置付けられたノズル１１１は、洗浄槽１０４内で洗浄される。このように、ノズル１１１は、検体ごとに洗浄槽１０４内で洗浄される。
【００７４】
なお、分注機構１１０は、分注機構３０と同様、ノズル１１１とアーム１１２を備える。
【００７５】
＜ノズル３１およびアーム３２＞
分注機構３０は、ノズル３１とアーム３２を備える。ノズル３１は、栓体を貫通可能で、検体の吸引および吐出が可能に構成されている。ノズル３１は、吸引管である。アーム３２の端部には、ノズル３１が設けられ、アーム３２は、旋回可能に構成されている。分注機構３０は、ノズル３１により、検体を検体容器１０から反応容器２２に分注する。
【００７６】
検体容器１０が所定の位置に位置付けられると、分注機構３０は、アーム３２を旋回させてノズル３１を検体容器１０の真上に位置付ける。続いて、分注機構３０は、アーム３２を下降させてノズル３１を下降させる。これにより、ノズル３１の先端が、栓体を下方向に貫通する。そして、分注機構３０は、ノズル３１の先端から検体容器１０内の検体を吸引する。
【００７７】
検体が吸引されると、分注機構３０は、アーム３２を上昇させてノズル３１を上昇させる。これにより、ノズル３１が栓体から抜き取られる。続いて、分注機構３０は、アーム３２を旋回させてノズル３１を反応容器２２の真上に位置付ける。反応容器２２は、上部が上方向に開放した容器である。分注機構３０は、アーム３２を下降させてノズル３１の先端を反応容器２２に挿入する。そして、分注機構３０は、検体容器１０から吸引した検体を反応容器２２に吐出する。
【００７８】
＜反応容器２２＞
反応容器２２は、検体ごとに取り替えられる使い捨ての容器である。これにより、反応容器２２を介して異なる検体が混じり合うことによるキャリーオーバーを回避できる。
【００７９】
その後、反応容器２２に吐出された検体は、反応容器２２および反応容器２２から移し替えられた容器によって移送され、所定の試薬が添加される。そして、所定の試薬が添加された検体にたいし検体の免疫検査に関する測定が行われる。免疫検査に関する測定は、免疫学的な分析項目の測定、免疫学的な反応による測定、などを含む。実施形態における免疫検査に関する測定は、抗原抗体反応を利用した測定である。
【００８０】
１つの検体に対して処理部５１のみで測定が行われる場合、分注機構３０は、検体容器１０内の検体を１つの新しい反応容器２２に分注する。この場合の反応容器２２に分注される検体は、血漿である。
【００８１】
なお、反応容器２２に分注される検体は、全血であってもよい。この場合、反応容器２２に分注された全血から、血漿または血清を精製するための処理が行われる。
【００８２】
反応容器２２は、上方に開口を有する容器であり、いわゆるキュベットである。反応容器２２は、モジュール６１の処理部５１において測定を行うための使い捨ての容器である。
【００８３】
＜反応容器２１＞
次に、反応容器２１の構成を説明する。反応容器２１は、上方に開口を有する容器であり、いわゆるキュベットである。反応容器２１は、測定を行うための使い捨ての容器である。モジュール６１は、第２検体が分注された反応容器２１に所定の試薬を添加して測定試料を調製し、測定試料を収容した反応容器２１内の測定試料から生じた光、すなわち、第２検体に含まれる被検物質に基づく化学発光を測定する。
【００８４】
ここで、化学発光とは、化学反応によるエネルギーを利用して発せられる光であり、例えば、化学反応により分子が励起されて励起状態になり、そこから基底状態に戻る時に放出される光である。実施形態において処理部５１が測定する化学発光は、酵素免疫化学発光法（ＣＬＥＩＡ）に基づくものであり、酵素と基質との反応により生じた光である。なお、処理部５１が測定する化学発光は、例えば、化学発光分析法（ＣＬＩＡ）、電気化学発光分析法（ＥＣＬＩＡ）、蛍光酵素測定法（ＦＥＩＡ法）、ＬＯＣＩ法（Luminescent Oxygen Channeling Immunoassay）、ＢＬＥＩＡ法（生物発光酵素免疫法）などに基づく光であってもよい。
【００８５】
モジュール６１は、反応容器２２に所定の試薬を添加して測定試料を調製し、測定試料を収容した反応容器２２を処理部５１に移送する。処理部５１は、反応容器２２内の測定試料に光を照射し、測定試料を透過した光または測定試料により散乱された光を測定する。処理部５１の測定原理は、例えば、凝固法、合成基質法、免疫比濁法、凝集法、などである。
【００８６】
なお、モジュール６１は、血液凝固検査とは異なる検査に関する測定を行ってもよい。例えば、モジュール６１は、生化学検査に関する測定を行ってもよい。
【００８７】
＜加温部１４０＞
加温部１４０は、温度制御機構であり、反応容器２２を保持するための複数の保持孔１４１と、反応容器２２を移送するための移送部１４２と、を備える加温テーブルである。加温部１４０は、平面視において円形の輪郭を有し、周方向に回転可能に構成されている。加温部１４０は、保持孔１４１にセットされた反応容器２２を３７℃に加温する。
【００８８】
反応容器テーブル１２０に保持された新しい反応容器２２に第２検体が吐出されると、反応容器テーブル１２０が回転され、第２検体を収容する反応容器２２が加温部１４０の近傍まで移送される。そして、加温部１４０の移送部１４２が、この反応容器２２を把持して、保持孔に移送する。他方、反応容器テーブル１２０に保持された新しい反応容器２２に第１検体が吐出されると、反応容器テーブル１２０が回転され、第１検体を収容する反応容器２２が加温部１４０の近傍まで移送される。そして、加温部１４０の移送部１４２が、この反応容器２２を把持して、加温部１４０の保持孔１４１にセットする。
【００８９】
＜試薬テーブル１３０＞
次に、試薬テーブル１３０の構成を説明する。試薬テーブル１３０は、血液凝固検査に関する測定に使用する調整試薬およびトリガー試薬を収容した試薬容器１３１を複数設置可能に構成されている。試薬テーブル１３０は周方向に回転可能に構成されている。試薬分注部１６１、１６２は、加温部１４０で加温された反応容器２２に試薬を分注する。
【００９０】
調整試薬を反応容器２２に分注する場合、加温部１４０の移送部１４２が、加温部１４０の保持孔１４１から反応容器２２を取り出し、所定の位置に位置付ける。そして、試薬分注部１６１または試薬分注部１６２は、筐体内の試薬庫１１の上面に設けられた吸引孔から、試薬容器１３１内の調整試薬を吸引し、吸引した調整試薬を反応容器２２に吐出する。こうして、検体に調整試薬が混合される。その後、移送部１４２は、反応容器２２を加温部１４０の保持孔１４１に再びセットする。
【００９１】
トリガー試薬を反応容器２２に分注する場合、移送部１０６が、加温部１４０の保持孔１４１から反応容器２２を取り出し、所定の位置に位置付ける。そして、試薬分注部１６１または試薬分注部１６２は、試薬容器１３１からトリガー試薬を吸引し、吸引したトリガー試薬を反応容器２２に分注する。こうして、検体にトリガー試薬が混合され、測定試料が調製される。その後、移送部１０６は、反応容器２２を処理部５１の保持孔５１ａにセットする。
【００９２】
＜保持孔５１ａ＞
次に、保持孔５１ａの構成を説明する。処理部５１は、複数の保持孔５１ａを備える。処理部５１は、保持孔５１ａにセットされた反応容器２２に対して光を照射し、測定試料を透過した光または測定試料により散乱された光を測定する。反応容器２２内の測定試料の測定が終了すると、この反応容器２２は、移送部１０６により廃棄口１０７に廃棄される。
【００９３】
（ペルチェユニット４０の構成）
次に、図６〜図１２を参照して、ペルチェユニット４０の構成について説明する。図６は、ペルチェユニット４０の配置を説明するための側面図である。なお、本実施形態では冷却ユニットとしてペルチェユニットを例に挙げて説明するが、冷却機能を果たすものはペルチェユニットに限られるものではない。試薬庫１１を冷却できるものであればどのようなものであってもよい。
【００９４】
試薬庫１１は、底壁と周壁と備えた円筒形状であり、蓋部によって円筒形状の上部が塞がれることにより密閉空間が実現され、この密閉空間に試薬容器が配置され冷却される。そして、図６に示すように、試薬庫１１の底面（底部）に、冷却媒体１２が配置され、その下方に、ペルチェユニット４０が配置される。また、試薬容器は円筒形状に形成され、上部に試薬を吸引するための開口が形成されている。
【００９５】
図６に示すように、冷却媒体１２は、その下面の一部が下方に露出しており、その露出面にはペルチェユニット４０が設けられている。
【００９６】
本実施形態に係るペルチェユニット４０は、冷却部としてペルチェ素子４１を用いたものであり、このペルチェ素子４１の下面（排熱側）には、放熱部としてヒートシンク４２が設けられ、このヒートシンク４２の下面には放熱ファン４３が設けられている。ペルチェユニット４０におけるペルチェ素子４１は熱を吸収するものであり、熱伝導性の高い冷却媒体１２を直接的に冷却することによって、試薬庫１１内の空気および試薬容器を冷却するように構成されている。なお、ペルチェ素子４１を冷却部として用いたペルチェユニット４０の代わりに、冷却媒体１２を空冷または水冷によって冷却する構成であってもよい。
【００９７】
なお、ペルチェユニット４０の少なくとも一部は、検体分析装置１から着脱可能に構成された着脱部を備えている。着脱部は、ペルチェユニット４０全体であってもよいし、放熱ファン４３およびヒートシンク４２であってもよいし、放熱ファン４３であってもよい。以下では、着脱部が放熱ファン４３である場合を例に挙げて説明する。
【００９８】
試薬庫１１の下方には、検体分析装置１外の空気を取り入れることが可能な吸気ダクト１５が形成されており、この吸気ダクト１５内にヒートシンク４２が配置されている。また、吸気ダクト１５の下側には、検体分析装置１外へ空気を排出することが可能な排気ダクト７１が形成されており、この排気ダクト７１に放熱ファン４３が接続されている。放熱ファン４３を排気ダクト７１内で保持可能なように、放熱ファン４３の少なくとも一部が排気ダクト７１内に突出して配置されている。そして、放熱ファン４３の駆動によって吸気ダクト１５からヒートシンク４２へ外気を取り入れ、このヒートシンク４２で熱交換を行った後、排気ダクト７１へ温風が排出されるようになっている。上述したように、排気ダクト７１の排気口（通気口）は、検体分析装置１の背面に形成されている。
【００９９】
図７は、ペルチェユニット４０の詳細を示す側面図である。また、図８は、ヒートシンク４２の放熱ファン４３と接触する面（下面）を示す図である。なお、図７において、ヒートシンク４２と放熱ファン４３との境界部分の一部の断面が示されている。
【０１００】
図７に示すように、ペルチェユニット４０は、ペルチェ素子４１、ヒートシンク４２、および放熱ファン４３により構成されている。ヒートシンク４２は、ペルチェ素子４１が救出した熱を放熱するものである。また、ヒートシンク４２と放熱ファン４３とは、第一固定部４０１および第二固定部４０２により固定されている。なお、本実施形態では、ヒートシンク４２の放熱ファン４３に対する接触面、および、放熱ファン４３のヒートシンク４２に対する接触面は矩形であることを前提に説明するが、当該面は矩形に限られるものではない。
【０１０１】
第一固定部４０１は、ヒートシンク４２と放熱ファン４３とを仮留めするものである。本実施形態において、仮留めとは、人の力で容易に取り外すことが可能な程度に固定されていることをいう。また、第二固定部４０２は、ヒートシンク４２と放熱ファン４３とを本留めするものである。本実施形態において本留めとは、取り外すことを意図した人によって、取外すための所定の動作が必要な状態で固定されていることをいう。本止めの場合、例えば、取り外すためにネジを回すなど、ある程度の労力が必要となる程度に固定されている。
【０１０２】
本実施形態では、第一固定部４０１は、ヒートシンク４２の下面（放熱ファン４３と接触する面）の対角線上の２隅（図８参照）に設けられた凹部４１２および凹部４１２のへこんでいる面に設けられた磁石部４１１と、放熱ファン４３の上面（ヒートシンク４２と接触する面）の対角線上の２隅に設けられた凸形状の強磁性体部４１３とで形成されている。
【０１０３】
これにより、放熱ファン４３をヒートシンク４２に近づけると、ヒートシンク４２の磁石部４１１により、放熱ファン４３の強磁性体部４１３が引き寄せられ、強磁性体部４１３の凸形状が凹部４１２の凹形状と嵌まるように固着する。なお、ヒートシンク４２と放熱ファン４３との固着は、磁石部４１１の磁石の磁力によるものであり、人の力により容易に取り外すことができる。すなわち、第一固定部４０１によりヒートシンク４２と放熱ファン４３との固着は、人の力で容易に取外しできる程度の仮留めということができる。
【０１０４】
また、本実施形態では、第二固定部４０２は、ヒートシンク４２の下面（放熱ファン４３と接触する面）の対角線上の２隅であって、磁石部４１１とは異なる２隅（図８参照）に設けられたネジ穴部４２１と、放熱ファン４３の上面（ヒートシンク４２と接触する面）の対角線上の２隅であって、強磁性体部４１３とは異なる２隅に設けられたネジ部４２２とで形成されている。なお、ネジ部４２２は、道具を用いることなく人の力で容易に回せるものを想定している。
【０１０５】
そして、放熱ファン４３のネジ部４２２を回しながらヒートシンク４２のネジ穴部４２１に係合させることにより、放熱ファン４３とヒートシンク４２とを容易に取外しできない程度に固定することができる。すなわち、ネジ部４２２およびネジ穴部４２１は、放熱ファン４３をヒートシンク４２に固定するための固定部材である。
【０１０６】
また、本実施形態では、放熱ファン４３をヒートシンク４２に固定する場合、第一固定部４０１による仮留め後、第二固定部４０２による本留めを行う。第一固定部４０１による仮留めでは、磁石部４１１による磁石に力により強磁性体部４１３が引き寄せられ、かつ凹部４１２に強磁性体部４１３の凸形状が嵌まるように固着するため、ヒートシンク４２と放熱ファン４３との固定位置を容易に適切な位置とすることができる。
【０１０７】
すなわち、図９および図１１に示すように、ヒートシンク４２から放熱ファン４３が取り外された状態で、放熱ファン４３をヒートシンク４２に近づけていけば、磁石部４１１の磁石の力により強磁性体部４１３が引き寄せられ、凹部４１２に、放熱ファン４３において突出している強磁性体部４１３が嵌まるようにして固着される。なお、磁石部４１１の方がヒートシンク４２において突出しており、放熱ファン４３における凹部に強磁性体部４１３が設けられている構成であってもよい。磁石部４１１および強磁性体部４１３は接触面の対角線上の２隅に設けられているため、磁石部４１１と強磁性体部４１３とが適切に嵌まれば、図１０、図１２に示すように、ネジ部４２２とネジ穴部４２１とは適切な位置関係となる。この状態で、ネジ部４２２を回せば、ネジ穴部４２１と適切に螺合することができる。これにより、作業者は、容易にヒートシンク４２と放熱ファン４３とを確実に固定することができる。
【０１０８】
なお、磁石部４１１および強磁性体部４１３、ならびに、ネジ部４２２およびネジ穴部４２１を、放熱ファン４３とヒートシンク４２とを固定するために設ける構成に限定されない。例えば、磁石部４１１および強磁性体部４１３、ならびに、ネジ部４２２およびネジ穴部４２１を、ヒートシンク４２とペルチェ素子４１とを固定するために設けてもよい。この場合、放熱ファン４３およびヒートシンク４２が着脱部であり、ペルチェ素子４１は検体分析装置側に残る。または、磁石部４１１および強磁性体部４１３、ならびに、ネジ部４２２およびネジ穴部４２１を、ペルチェユニット４０を検体分析装置１に固定するために設けてもよい。この場合、ペルチェユニット４０自体が着脱部である。
【０１０９】
すなわち、磁石部４１１および強磁性体部４１３は、ペルチェユニット４０の少なくとも一部を検体分析装置１に仮留めする第一固定部４０１であり、ネジ部４２２およびネジ穴部４２１は、ペルチェユニット４０の少なくとも一部を検体分析装置１に本留めする第二固定部４０２である。
【０１１０】
上記の構成によれば、ペルチェユニット４０の少なくとも一部を検体分析装置（１）から容易に取り外すことができるので、短時間で、作業者に大きな負担をかけることなくペルチェユニット４０のメンテナンス等を行うことができる。
【０１１１】
（第一固定部４０１および第二固定部４０２の他の例）
上記では、第一固定部４０１として、磁石部４１１および強磁性体部４１３を例に挙げて説明した。第一固定部４０１は、これに限られるものではなく、作業者が容易に放熱ファン４３をヒートシンク４２に仮留めできるものであればどのようなものであってもよい。例えば、板バネ、両面テープ、マジックテープ（登録商標）、樹脂キャッチャー等に代表されるファスナー等であってもよい。
【０１１２】
また、明確に第一固定部４０１および第二固定部４０２を設けるのではなく、例えば、放熱ファン４３の外周にネジの山部、ヒートシンク４２の底面にネジ谷部を設け、放熱ファン４３自体を回転させながらヒートシンク４２に固定するものであってもよい。この場合、途中の状態を第一固定状態（仮留め状態）、最後まで回転しきった状態を第二固定状態（本留め状態）と呼ぶことができる。
【０１１３】
（メンテナンス方法）
図１３および図１４を参照して本実施形態における、ペルチェユニット４０のメンテナンス方法について説明する。図１３は本実施形態におけるメンテナンスの流れを示すフローチャートである。図１４は、本実施形態におけるメンテナンス方法を説明するための図である。なお、磁石部４１１および強磁性体部４１３、ならびに、ネジ部４２２およびネジ穴部４２１が、放熱ファン４３をヒートシンク４２と固定するために設けられたペルチェユニット４０を例に挙げて説明する。この場合、放熱ファン４３が着脱部であり、ヒートシンク４２およびペルチェ素子４１は検体分析装置側に残る。
【０１１４】
本実施形態に係る検体分析装置１では、ペルチェユニット４０のメンテナンスを行う場合、まず、検体分析装置１の背面カバー７を取り外す（ステップＳ１０１）。背面カバー７を取り外すと、排気ダクト７１が現れる。排気ダクト７１内には、ペルチェユニット４０の放熱ファン４３が配置されている。まず、放熱ファン４３とヒートシンク４２とを固定している第二固定部４０２のネジ部４２２を回して、放熱ファン４３とヒートシンク４２とを本留めから仮留めとする。仮留めでは、放熱ファン４３とヒートシンク４２とは、磁石部４１１の磁石の力で固定されているだけなので、そのまま手で放熱ファン４３をヒートシンク４２から引き離すことができる。このようにして、放熱ファン４３をヒートシンク４２から取外し（ステップＳ１０２）、放熱ファン４３にたまっている埃等を除去する（ステップＳ１０３）。
【０１１５】
放熱ファン４３をヒートシンク４２に取り付ける場合は、逆の順序で行う。すなわち、放熱ファン４３をヒートシンク４２に近づけることにより、磁石部４１１の磁石の力で強磁性体部４１３を引き寄せる。磁石部４１１は凹部４１２の底面に形成されており、強磁性体部４１３は凸形状と有しているため、凹部４１２がガイドの役割をはたして、強磁性体部４１３を適切な位置へ誘導しつつ、磁石部４１１と強磁性体部４１３とを固着させる。
【０１１６】
第一固定部４０１により放熱ファン４３とヒートシンク４２とが固着されれば、放熱ファン４３とヒートシンク４２とは適切な位置関係となっているので、このまま、放熱ファン４３のネジ部４２２を回転させてネジ部４２２と係合させれば、放熱ファン４３とヒートシンク４２とは確実に固定される（ステップＳ１０４）。その後、背面カバー７を取り付ける（ステップＳ１０５）。
【０１１７】
以上のように、本実施形態によれば、検体分析装置１の背面カバー７を外すのみで、排気ダクト７１を介して容易にペルチェユニット４０のメンテナンスを行うことができる（図１４参照）。
【０１１８】
従来技術におけるメンテナンス方法は、図１５に示すように、本実施形態におけるメンテナンス方法と比較して、手順も多く、作業内容も手間がかかるものであった。一方、上述したように本実施形態では、複数人のメンテナンス作業者を要することなく、容易にメンテナンスを行うことができ、作業時間も１５分から３０分程度と、従来から大幅に短縮されている。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１２０】
１  検体分析装置
１１  試薬庫
３０、１１０  分注機構
４０  ペルチェユニット（冷却ユニット、着脱部）
４１  ペルチェ素子（冷却部、着脱部）
４２  ヒートシンク（放熱部、着脱部）
４３  放熱ファン（着脱部）
７１  排気ダクト（ダクト）
１３０  試薬テーブル
４０１  第一固定部
４０２  第二固定部
４１１  磁石部
４１２  凹部
４１３  強磁性体部
４２１  ネジ穴部
４２２  ネジ部
【図１】
2020051929.tif 000003
【図２】
2020051929.tif 000004
【図３】
2020051929.tif 000005
【図４】
2020051929.tif 000006
【図５】
2020051929.tif 000007
【図６】
2020051929.tif 000008
【図７】
2020051929.tif 000009
【図８】
2020051929.tif 000010
【図９】
2020051929.tif 000011
【図１０】
2020051929.tif 000012
【図１１】
2020051929.tif 000013
【図１２】
2020051929.tif 000014
【図１３】
2020051929.tif 000015
【図１４】
2020051929.tif 000016
【図１５】
2020051929.tif 000017